(57)【要約】【課題】テレビ放送や街頭のビデオ放映等の番組画面からＵＲＬ等の利用情報を簡単に誤りなく取得可能とし、更に、利用情報により番組映像が損なわれないようにする。【解決手段】番組放映装置１０は、番組表格納部１４と番組・ＵＲＬ対応表格納部１６を備え、番組表のタイムスケジュールに従って複数の番組を順次放映に対し、ＵＲＬ生成部１８で現在放映中の番組のＵＲＬを取得し、現在の放映番組の時間帯に、過去に放映した番組のＵＲＬを含めて現在放映中の番組のＵＲＬをステガノグラフィによる不可視の形で埋め込む。また番組ＵＲＬを簡単なコードに変換して放映中の番組のステガノグラフィによる不可視の形で埋め込む。【選択図】　　　　　図１
2004096310.tif 000002
【特許請求の範囲】
【請求項１】
番組表のタイムスケジュールに従って複数の番組を順次放映する番組放映装置に於いて、
放映される前記複数の番組に固有な利用情報の対応表を格納した対応表格納部と、
現在放映中の番組の利用情報を前記対応表を参照して取得し、現在の放映番組の時間帯に、過去に放映した番組の利用情報を含めて現在放映中の番組の利用情報を不可視の形で埋め込む利用情報埋込部と、
を備えたことを特徴とする番組放映装置。
【請求項２】
請求項１記載の番組放映装置に於いて、前記利用情報埋込部は、前記利用情報をステガノグラフィによって放映画像データに埋め込むことを特徴とする番組放映装置。
【請求項３】
請求項１記載の番組放映装置に於いて、前記利用情報埋込部は、現在の放映番組の始めの時間帯に、前回に放映した番組の利用情報を不可視の形で埋め込み、残りの時間帯に現在放映中の番組の利用情報を不可視の形で埋め込むことを特徴とする番組放映装置。
【請求項４】
番組放映装置から番組表のタイムスケジュールに従って複数の番組を順次放映する番組放映ステップと、
利用情報埋込部により、前記複数の番組に固有な利用情報を格納した対応表を参照して現在放映中の番組の利用情報を取得し、現在の放映番組の時間帯に、過去に放映した番組の利用情報を含めて現在放映中の番組の利用情報を不可視の形で埋め込む利用情報埋込ステップと、
を備えたことを特徴とする番組放映方法。
【請求項５】
コンピュータに、
番組表のタイムスケジュールに従って番組放映装置から複数の番組を順次放映させる番組放映ステップと、
前記複数の番組に固有な利用情報を格納した対応表を参照して現在放映中の番組の利用情報を取得し、現在の放映番組の時間帯に、過去に放映した番組の利用情報を含めて現在放映中の番組の利用情報を不可視の形で埋め込む利用情報埋込ステップと、
を実行させることを特徴とするプログラム。
【発明の詳細な説明】
【０００１】
【発明の属する技術分野】
本発明は、テレビ放送や街頭のビデオ放映などに用いる番組放映装置、方法及びプログラムに関し、特に、放映番組からスポンサーのＵＲＬ等の利用情報を簡単に取得可能とする番組放映装置、方法及びプログラムに関する。
【０００２】
【従来の技術】
最近、テレビ放送や街頭のビデオ放映で、コマーシャル番組の画面にインターネット上のホームページのＵＲＬを表示し、見込み顧客を誘導する方法が増加してきている。
【０００３】
このような番組画面に表示されるＵＲＬの利用方法としては、ユーザが更に詳しい情報を知りたい場合、番組中に表示されるインターネットのアクセス先となるＵＲＬを記憶したりメモした後に、インターネットホームページのＵＲＬ接続操作とＷＷＷブラウザ起動の操作を行い、ホームページにアクセスするようにしている。
【０００４】
【発明が解決しようとする課題】
しかしながら、このような従来の番組画面にＵＲＬを表示して利用させる方法にあっては、番組中に表示されるインターネットのＵＲＬをユーザが記憶したりメモする必要があるが、番組中にＵＲＬを表示する時間は比較的短いため、記憶やメモすることが困難であり、また記憶やメモができたとしてもミスを生じ易く、ホームページの誤接続が多発する要因となっている。
【０００５】
また番組中のＵＲＬの表示は、宣伝番組の映像を妨げないように画面の隅に小さく表示しており、そのためＵＲＬの表示そのものが見づらい。これを解消するめたにＵＲＬを大きく表示することは、本来の宣伝番組の映像を大きく損なうこととなり、両立が困難である。
【０００６】
この問題を解決するための方法として特開２０００−１０１９７９に開示されるように、テレビ放送画面の垂直帰線間にＵＲＬを埋め込み、専用の文字放送受信機によりＵＲＬを取得してホームページ等にアクセスさせる方法が提案されている。
【０００７】
しかし、この方法はテレビ受信機に文字放送をデコードする機能とインターネット接続機能が必要であり、このような特殊なテレビ受信機は構成が複雑でコストも高くなり、パーソナルコンピュータによるＵＲＬの利用からみると実用性を欠いている。
【０００８】
本発明は、テレビ放送や街頭のビデオ放映等の番組画面からＵＲＬ等の利用情報を簡単に誤りなく取得可能とし、更に、利用情報により番組映像が損なわれないようにする番組放映装置、方法及びプログラムを提供することを目的とする。
【０００９】
【課題を解決するための手段】
（装置）
図１は本発明の原理説明図である。本発明は、番組表のタイムスケジュールに従って複数の番組を順次放映する番組放映装置１０であって、図１（Ａ）のように、放映される複数の番組に固有な利用情報の対応表を格納した対応表格納部（番組費用格納部１４と番組表ＵＲＬ対応表格納部１６）と、現在放映中の番組の利用情報を対応表を参照して取得し、現在の放映番組の時間帯に、過去に放映した番組の利用情報を含めて現在放映中の番組の利用情報を不可視の形で埋め込む利用情報埋込部（ＵＲＬ生成部１８）とを備えたことを特徴とする。
【００１０】
このためＵＲＬ等の利用情報は、番組映像の中に不可視の形で埋め込まれており、ＵＲＬによって番組映像が損なわれることはない。またユーザは番組映像を携帯電話などの内蔵カメラで撮像してパーソナルコンピュータの復元プログラムを利用することで、番組映像に埋め込まれたＵＲＬ等の利用情報を自動的に取得してホームページに簡単且つ確実にアクセスすることができる。
【００１１】
ここで利用情報埋込部は、利用情報をステガノグラフィによって不可視の形で放映画像データに埋め込むことを特徴とする。
【００１２】
利用情報埋込部は、図１（Ｂ）のように、現在の放映番組の始めの時間帯に、前回に放映した番組の利用情報を不可視の形で埋め込み、残りの時間帯に現在放映中の番組の利用情報を不可視の形で埋め込む。このためカメラによる画面の撮像中に次の番組に切替っても、番組切替後の最初の時間帯に埋め込まれている前の番組のＵＲＬを確実に取得できる。
【００１３】
利用情報埋込部は、図１（Ｃ）のように、現在の放映番組の始めの時間帯に、前回に放映した番組の利用情報と現在放映中の番組の利用情報を不可視の形で埋め込み、残りの時間帯に現在放映中の番組の利用情報のみを不可視の形で埋め込む。このため番組切替後の最初の時間帯については、前の番組のＵＲＬと現在放映中の番組のＵＲＬの両方が取得でき、ユーザは２つのＵＲＬを選択的に利用できる。
【００１４】
対応表格納部は、番組に固有なＵＲＬのＵＲＬ対応表を格納し、利用情報埋込部は、現在放映中の番組のＵＲＬを対応表を参照して取得し、現在の放映番組の時間帯に、過去に放映した番組のＵＲＬを含めて現在放映中の番組のＵＲＬを不可視の形で埋め込むことを特徴とする。
【００１５】
対応表格納部は、番組に固有なＵＲＬのＵＲＬ対応表に加え、ＵＲＬに固有なコードのコード対応表を格納し、利用情報埋込部は、現在放映中の番組のＵＲＬに対応するコードをＵＲＬ対応表及びコード対応表を参照して取得し、現在の放映番組の時間帯に、過去に放映した番組のコードを含めて現在放映中の番組のコードを不可視の形で埋め込む。このようにＵＲＬを直接埋め込まず、簡単なコードに変換して埋め込むことで、ステガノグラフィによる埋込と復元の処理負担を軽減できる。
【００１６】
コード対応表は番組数に対し少ない数のコードを準備しており、利用情報埋込部は、未使用コードを検索して番組に対応するＵＲＬを設定し、番組が終了すると一定時間経過後に未使用コードに戻して再使用させる。
【００１７】
更に、外部からコードの変換要求を受けた際に、コード対応表の参照によりＵＲＬを取得して外部に応答するサーバを備える。これによりユーザ側における埋込コードからのＵＲＬ取得の負担を軽減する。
【００１８】
利用情報埋込部から出力された放映番組の信号をテレビ放送信号として外部に送信して受信表示させ、受信表示された番組画面の撮像により埋込利用情報を復元して利用させる。
【００１９】
利用情報埋込部から出力された放映番組の信号を記録媒体に録画して他の装置で再生表示させ、受信表示された番組画面の撮像により埋込利用情報を復元して利用させる。
【００２０】
（方法）
本発明は、番組放映方法を提供する。この番組放映方法は、
番組放映装置から番組表のタイムスケジュールに従って複数の番組を順次放映する番組放映ステップと、
利用情報埋込部により、前記複数の番組に固有な利用情報を格納した対応表を参照して現在放映中の番組の利用情報を取得し、現在の放映番組の時間帯に、過去に放映した番組の利用情報を含めて現在放映中の番組の利用情報を不可視の形で埋め込む利用情報埋込ステップと、
を備えたことを特徴とする。なお、番組放映方法の詳細は、番組放映装置の場合と基本的に同じになる。
【００２１】
（プログラム）
本発明は、番組放映のためのコンピュータに、
番組表のタイムスケジュールに従って番組放映装置から複数の番組を順次放映させる番組放映ステップと、
複数の番組に固有な利用情報を格納した対応表を参照して現在放映中の番組の利用情報を取得し、現在の放映番組の時間帯に、過去に放映した番組の利用情報を含めて現在放映中の番組の利用情報を不可視の形で埋め込む利用情報埋込ステップと、
を実行させる。なお、プログラムの詳細は、番組放映装置の場合と基本的に同じになる。
【００２２】
【発明の実施の形態】
図２は、本発明による番組放映装置が適用される放送システムのシステム環境を示した説明図である。
【００２３】
図２において、本発明の番組放映装置１０は放送局などに設置されており、既に製作された番組の番組表に従った放送による放映信号を入力し、各番組に固有な利用情報である、例えばインターネット上のホームページのアクセスに使用するＵＲＬをステガノグラフィにより不可視の形で各番組の画像データに埋め込んで出力する。
【００２４】
番組放映装置１０でＵＲＬなどの利用情報の埋め込みを受けた放映信号は、テレビ送信設備２２によりテレビ電波として送信され、通常のテレビ受像機などを用いた受信表示装置２４に表示される。
【００２５】
番組放映装置１０は、時刻情報を出力する時計部１２、番組表を格納した番組表格納部１４、番組・ＵＲＬ対応表を格納した番組・ＵＲＬ対応表格納部１６、ＵＲＬ生成部１８及びステガノグラフィエンコーダ２０を備える。
【００２６】
このうちＵＲＬ生成部１８とステガノグラフィエンコーダ２０が、現在放映中の番組の利用情報であるＵＲＬに関する番組表及び番組ＵＲＬ対応表を参照して現在放映中のＵＲＬを取得し、放映中の番組の中にＵＲＬを不可視の形で埋め込む利用情報埋込部を構成している。
【００２７】
ここでステガノグラフィエンコーダ２０による具体的な埋込み方法としては、例えば米国特許第５８４１９７８号明細書図面に開示されている方法を用いる。もちろん、これ以外にも、公知のステガノグラフィによる埋込み法を利用することができる。
【００２８】
受信表示装置２４で表示されたＵＲＬが不可視の形で埋め込まれた放送番組に対し、例えばカメラ２６を備えた携帯電話２５によって番組画面を撮影し、撮影画面をユーザが保有しているパーソナルコンピュータ２８に取込み、パーソナルコンピュータ２８にインストールされているステガノグラフィ復元用のアプリケーションプログラムによって、撮像した画面から埋め込まれているＵＲＬを復元し、復元したＵＲＬを使用してインターネット３０から番組利用情報を提供している例えばサーバ３２−１にアクセスして、そのホームページを閲覧することができる。
【００２９】
実際の番組放送にあっては、例えば民放放送にあっては、番組のコマーシャル画面においてＵＲＬを不可視の形で埋め込み、そのコマーシャル画面を携帯電話２５のカメラ２６で撮像してパーソナルコンピュータ２８で画面に埋め込まれているＵＲＬを復元し、対応するサーバにアクセスして番組提供スポンサーのホームページなどを閲覧することになる。
【００３０】
図２における番組放映装置１０は、例えば図３のようなコンピュータのハードウェア資源により実現される。
【００３１】
図３のコンピュータにおいて、ＣＰＵ１００のバス１０１にはＲＡＭ１０２、ハードディスクドライバ（ソフト）１０４、フロッピィディスクドライバ（ソフト）１１０、ＣＤ−ＲＯＭドライバ（ソフト）１１４、マウスコントローラ１１８、キーボードコントローラ１２２、ディスプレイコントローラ１２６、通信用ボード及びビデオボード１３４が接続される。
【００３２】
ハードディスクコントローラ１０４はハードディスクドライブ１０６を接続し、番組固有のＵＲＬ等の利用情報をステガノグラフィにより画像データに不可視の形で埋め込むアプリケーションプログラムをローディングしており、コンピュータの起動時にハードディスクドライブ１０６からアプリケーションプログラムを呼び出して、ＲＡＭ１０２上に展開し、ＣＰＵ１００により実行する。
【００３３】
フロッピィディスクドライバ１０４にはフロッピィディスクドライブ（ハード）１１２が接続され、フロッピーディスク（Ｒ）に対する読み書きができる。ＣＤ−ＲＯＭドライバ１１４に対しては、ＣＤドライブ（ハード）１１６が接続され、ＣＤに記憶されたデータやプログラムを読み込むことができる。
【００３４】
マウスコントローラ１１８はマウス１２０の入力操作をＣＰＵ１００に伝える。キーボードコントローラ１２２はキーボード１２４の入力操作をＣＰＵ１００に伝える。ディスプレイコントローラ１２６は表示部１２８に対して表示を行う。通信用ボード１３０は通信回線１３２を使用して他のコンピュータとの間で通信を行う。
【００３５】
ビデオボード１３４は、デコーダ、ビデオメモリ及びエンコーダを内蔵しており、番組放映による動画ストリームをデコーダに入力して画像データを復調し、ビデオメモリに展開しながらＣＰＵ１００によるアプリケーションプログラムの実行で画面単位に番組固有のＵＲＬ等の利用情報をステガノグラフィにより埋め込んだ後、エンコーダで動画ストリームに変換して出力する。このビデオボード１３４は、動画ストリームの信号方式、即ちＮＴＳＣ方式またはＭＰＥＧ方式等に対応できるものを使用する。
【００３６】
図４は、図２の番組放映装置１０の番組表格納部１４に格納されている番組表１４−１の一例である。この番組表１４−１は、番組名３４、開始時刻３６及び終了時刻３８を格納している。この例では番組１〜８を例に取っている。なお説明を簡単にするため番組１〜８は連続した番組としているが、実際の放送番組にあっては、コマーシャル番組のように分離した時間帯であってもよい。
【００３７】
図５は、図２の番組放映装置１０の番組・ＵＲＬ対応表格納部１６に格納されている番組・ＵＲＬ対応表１６−１の説明図である。この番組・ＵＲＬ対応表１６−１は、番組名４０とＵＲＬ４２で構成されており、番組１〜８に対応して、例えば番組を提供しているスポンサーのホームページのＵＲＬ１〜ＵＲＬ８を格納している。
【００３８】
図６は、図２の番組放映装置１０に設けているＵＲＬ生成部１８とステガノグラフィエンコーダ２０によるＵＲＬ埋め込み処理のタイムチャートである。
【００３９】
図６において、動画ストリーム４４として番組１，番組２，番組３，番組４が順次放映されたとすると、この番組１〜番組４の開始時刻及び終了時刻は図４の番組表１４−１から得られるため、この開始時刻・終了時刻に対応して、番組に対するＵＲＬの埋め込みを行う。
【００４０】
具体的には、動画ストリーム４４における番組１〜番組４の開始時刻ｔ１，ｔ２，ｔ３，ｔ４のそれぞれに対し、番組開始から一定時間Ｔ後の時刻ｔ１１，ｔ１２，ｔ１３，ｔ１４において、現在放映中の番組から取得したＵＲＬをＵＲＬ１，ＵＲＬ２，ＵＲＬ３，ＵＲＬ４のように埋め込むＵＲＬ埋込み処理４６を行う。
【００４１】
このようなＵＲＬ埋込み処理４６を各番組についてみると、例えば番組１にあっては開始時刻ｔ１から一定時間Ｔまでの時刻ｔ１１まではＵＲＬ１の埋込みは行われておらず、時刻ｔ１１からＵＲＬ１の埋込みが行われ、このＵＲＬ１の埋込みは次の番組２の開始時刻ｔ２から一定時間Ｔを過ぎた時刻ｔ１２まで行われる。
【００４２】
同様に番組２，番組３，番組４についても、開始時刻ｔ２，ｔ３，ｔ４から一定時間Ｔの間の時刻ｔ１２，ｔ１３，ｔ１４までは１つ前の番組のＵＲＬが表示され、その後に現在放映中の番組のＵＲＬに切り替わる。
【００４３】
このように１つ前の番組のＵＲＬを次の番組の開始部分に延ばして埋め込んでいる理由は、撮影のタイミング遅れによるＵＲＬの取得失敗を回避するためである。ユーザが現在放映中の番組を見てカメラ付きの携帯電話などにより番組画面をＵＲＬを取得するために撮影した場合、撮影操作を行った時に画面が次の番組に切り替わってしまうようなことがありうる。これを回避するため、次の番組の開始部分に前の番組のＵＲＬを埋め込み、撮影のタイミング遅れによるＵＲＬの取得失敗を回避する。
【００４４】
図７は、図６のＵＲＬ埋込み処理４６を実現する図２の番組放映装置１０の処理動作のフローチャートであり、これは本発明における番組放映プログラムの処理手順となる。
【００４５】
図７において、ステップＳ１で、ＵＲＬ生成部１８は番組表格納部１４及び番組・ＵＲＬ対応表格納部１６より、図４のような番組表１４−１と図５のような番組・ＵＲＬ対応表１６−１を読み込む。続いてステップＳ２で時計部１２からの現在の時刻情報と最初の番組の開始時刻を比較し、放送開始時刻か否かチェックしている。
【００４６】
放送開始時刻になると、番組放映装置１０に対し放送番組の放映信号の入力が始まることから、ステップＳ３で番組・ＵＲＬ対応表１６−１から現在放映中の番組のＵＲＬを取得し、ステップＳ４に進む。ステップＳ４にあっては、１つ前の番組のＵＲＬを現在放映中の放送画像データにステガノグラフィによる不可視の形で埋め込むが、最初の番組にあっては、１つ前の番組がないことからＵＲＬの埋込みは行われない。
【００４７】
続いてステップＳ５で番組開始から一定時間を経過すると、ステップＳ６に進み、現在放映中の番組の放送画像データへのＵＲＬのステガノグラフィによる不可視の形での埋込みを行う。続いてステップＳ７で番組切替時刻か否かチェックし、切替時刻になるとステップＳ８で放送終了時刻か否かチェックし、終了時刻でないことからステップＳ３に戻り、次の番組のＵＲＬを取得し、ステップＳ４で切替前の番組即ち１つ前の番組のＵＲＬの埋込みを維持する。
【００４８】
そして番組開始から一定時間経過すると、ステップＳ５からステップＳ６に進み、現在放映中の番組の画像データに対するＵＲＬの埋込みを行う。ステップＳ７で最後の番組切替時刻であった場合には、ステップＳ８で放送終了時刻が判別され、一連の処理が終了する。
【００４９】
図８は、図２の番組放映装置１０によるＵＲＬを埋め込む処理の他の実施形態を示したタイムチャートである。この実施形態にあっては、動画ストリーム４４として放映される番組１〜番組４に対するＵＲＬ埋込み処理５０として、番組１〜番組４の開始時刻ｔ１，ｔ２，ｔ３，ｔ４のそれぞれから一定時間Ｔの間は１つ前の番組と現在放映中の番組の２つのＵＲＬを埋め込み、残りの時間帯については現在放映中の番組のみのＵＲＬを埋め込む。
【００５０】
例えば２番目の番組２を例に取ると、放送開始時刻ｔ２から一定時間Ｔの時刻ｔ１２までの間は、１つ前の番組１のＵＲＬ１と現在放映中の番組２のＵＲＬ２の両方を埋め込んでいる。そして残りの時刻ｔ１２〜ｔ３の時間帯は現在放映中の番組２のみのＵＲＬ２を埋め込んでいる。
【００５１】
これにより番組の切替部分で携帯電話のカメラにより画面を撮影してタイミング遅れがあっても、１つ前の番組のＵＲＬを確実に取得でき、また現在放映中の番組のＵＲＬも同時に取得できる。
【００５２】
図９は、図８のＵＲＬ埋込み処理５０を実現する図２の番組放映装置１０の処理動作のフローチャートである。
【００５３】
図９において、ステップＳ１で番組表と番組・ＵＲＬ対応表を読み込んだ後、ステップＳ２で放送開始時刻か否かチェックし、放送開始時刻になると、ステップＳ３で番組・ＵＲＬ対応表から現在と１つ前の番組のＵＲＬを取得する。
【００５４】
最初の番組にあっては１つ前の番組のＵＲＬはないことから、現在放映中の番組のＵＲＬのみを表示する。ステップＳ５で番組開始から一定時間経過すると、ステップＳ６に進み、現在放映中の番組のＵＲＬの埋込みを行う。
【００５５】
続いてステップＳ７で番組切替時刻か否かチェックし、切替時刻になるとステップＳ８で放送終了時刻か否かチェックし、終了時刻でないことからステップＳ３に戻り、番組・ＵＲＬ対応表から現在と１つ前の番組のＵＲＬを取得する。
【００５６】
この２番目の番組については、ステップＳ４で現在放映中の画像データに現在放映中の番組のＵＲＬと１つ前の番組のＵＲＬを埋め込み、ステップＳ５で一定時間を経過したら、ステップＳ６で現在放映中の番組のＵＲＬのみの埋込みに切り替える。このようなステップＳ３〜Ｓ８の処理を放送終了まで繰り返すことになる。
【００５７】
図１０は、本発明の番組放映装置が適用されるシステム環境の他の実施形態であり、この実施形態は番組をビデオテープなどの記録媒体に編集して再生する場合を例に取っている。
【００５８】
図１０において、番組放映装置１０は図２の実施形態と同じであり、時計部１２、番組表格納部１４、番組・ＵＲＬ対応表格納部１６、ＵＲＬ生成部１８及びステガノグラフィエンコーダ２０で構成されている。
【００５９】
ここでステガノグラフィエンコーダ２０による具体的な埋込み方法としては、例えば米国特許第５８４１９７８号明細書図面に開示されている方法を用いる。もちろん、これ以外にも、公知のステガノグラフィによる埋込み法を利用することができる。
【００６０】
番組放映装置１０に対しては、既に編集の済んだビデオテープをセットした再生用ビデオデッキ５２からの放映信号が入力される。このため、番組放映装置１０の番組表格納部１４及び番組・ＵＲＬ対応表１６には、再生用ビデオデッキ５２で再生するビデオテープの編集内容に対応した番組表及び番組・ＵＲＬ対応表が予め設定されている。
【００６１】
このため番組放映装置１０は、再生用ビデオデッキ５２で再生された番組の放映信号に対し、図６の方式による埋込みＵＲＬ４６の処理あるいは図８の埋込みＵＲＬ５０の処理に従ったＵＲＬの埋込みを行い、ＵＲＬが埋め込まれた放映信号を録画用ビデオデッキ５４で録画する。
【００６２】
録画用ビデオデッキ５４で録画されたＵＲＬの埋込みが行われた番組のビデオテープ５６は、別のビデオデッキ５８を用いた表示設備、例えば駅や商店街などの人の集まる場所に設置されてコマーシャルを流すようなビデオ放映設備のビデオデッキ５８にセットされ、その表示装置６０にＵＲＬが埋め込まれた番組を放映表示する。
【００６３】
このため、その表示装置６０を見てＵＲＬを取得したい人は、自分の持っているカメラ２６の付いた携帯電話２５により表示装置６０の番組画面を撮影し、自宅に戻って自分のパーソナルコンピュータ２８に携帯電話２５を接続し、パーソナルコンピュータ２８に予めインストールされているステガノグラフィの復元プログラムによって、撮影した番組画面からＵＲＬを復元し、インターネット３０を介してサーバ３２−１〜３２−ｎの中の番組ＵＲＬに対応したサーバにアクセスし、そのホームページを閲覧することができる。
【００６４】
図１１は、本発明の番組放映装置の他の実施形態を示した番組放送システムの説明図である。この実施形態の番組放映装置１０は、図２の実施形態が番組のＵＲＬを不可視の形で埋め込んでいたのに対し、ＵＲＬを直接埋め込むことなく、ＵＲＬを簡単なコードに変換し、このコードを番組画面に埋め込むようにしたことを特徴とする。
【００６５】
図１１において、番組放映装置１０は、時計部１２、番組表格納部１４、番組・ＵＲＬ対応表格納部１６、コードテーブル６２、コード生成部６４及びステガノグラフィエンコーダ２０で構成される。
【００６６】
即ち、図２の実施形態に対し新たにコードテーブル６２が設けられ、このコードテーブル６２を設けたことに対応して、コード生成部６４の機能が図２のコード生成部１８とは異なっている。ステガノグラフィエンコーダ２０としては、同様に米国特許５８４１９７８号の明細書図面に開示されるような方法を用いる。
【００６７】
番組放映装置１０に対しては既に編集の済んだ番組の放映信号が入力し、番組のＵＲＬに対応するコードをステガノグラフィにより不可視の形で埋め込んだ後、テレビ送信設備２２からテレビ電波として送信する。
【００６８】
受信側は、テレビ受像機などの受信表示装置２４で放送番組を受信しているときに、ユーザが携帯電話２５のカメラ２６によりＵＲＬを取得したい番組画面を撮影し、パーソナルコンピュータ２８に接続し、ステガノグラフィの復元プログラムによって、撮影画面に埋め込まれている番組のコードを取得する。
【００６９】
パーソナルコンピュータ２８は番組のコードを取得すると、インターネット３０を介して番組放映装置１０に対応して設けているＷＷＷサーバ６６にアクセスし、コードのＵＲＬ変換を要求する。
【００７０】
このユーザ側からの変換要求を受けて、ＷＷＷサーバ６６は番組放映装置１０のコードテーブル６２を参照し、要求のあったコードに対応するＵＲＬを取得し、パーソナルコンピュータ２８に応答する。
【００７１】
このようにしてＷＷＷサーバ６６からコードに対応するＵＲＬを取得したユーザは、インターネット３０を介して、番組ＵＲＬに対応したサービス、例えばホームページを提供しているサーバ３２−１〜３２−ｎの対応するＵＲＬのホームページにアクセスし、これを利用することができる。
【００７２】
ここで、図１１の番組放映装置１０に設けている番組格納部１４の番組表は図４と同じであり、また番組・ＵＲＬ対応表格納部１６に設けている番組・ＵＲＬ対応表も図５と同じである。一方、コードテーブル６２は、例えば図１２（Ａ）のように、番組コード７２と番組ＵＲＬ７４で構成されている。
【００７３】
番組コード７２としては、放送される番組数より少ない例えばコード１〜８の８つを準備している。そして番組が放映されるごとにコードテーブル６２を参照し、「＊」で示される未使用コード７６を検索して取得し、その番組ＵＲＬ７４の欄に番組・ＵＲＬ対応表から取得したＵＲＬを記述する。
【００７４】
図１２（Ａ）は、ポインタ７８に示すように、番組１〜６の放送が行われて現在番組６が放送中であるときのコードテーブル６２を示しており、この状態でコード７とコード８が未使用コード７６となっている。
【００７５】
図１２（Ｂ）は、コード６に対応した図１２（Ａ）のポインタ７８の番組６から更に番組７を経て番組８に切り替わった状態のコードテーブル６２−１である。このとき、既に放送の済んだ番組１，番組２に埋め込まれていたコード１，コード２の番組・ＵＲＬ７４の欄の登録を削除し、未使用コード７６としている。
【００７６】
このようにコードテーブル６２は、番組開始により不使用コードを取得して対応するＵＲＬを記述し、番組終了から一定時間を経過するとＵＲＬの記述を削除して未使用コードとし、少ない数のコードについて再使用することで繰り返し使用する。
【００７７】
図１３は、図１１の番組放映装置１０によるコード埋込み処理のタイムチャートである。この図１３の実施形態にあっては、動画ストリーム６８として与えられる番組１〜番組４の放映信号に対し、番組・ＵＲＬに対応したコード埋込み処理７０として、図６の実施形態と同じような埋込み処理を行っている。
【００７８】
即ち、番組１〜４の開始時刻ｔ１，ｔ２，ｔ３，ｔ４から一定時間Ｔの間は、その番組のコードの埋め込みは行わず、一定時間Ｔを経過した時刻ｔ１１，ｔ１２，ｔ１３，ｔ１４から、現在放映中の番組のコードを番組１〜番組４に対応してコード１〜コード４のように埋め込む。
【００７９】
そして番組が終了して次の番組に切り替わっても、一定時間Ｔの間は前の番組のコードを継続して埋め込む。これによって、番組切替部分でコード埋込み画面を撮影した場合のタイミング遅れによるコードの取得失敗を回避できるようにしている。
【００８０】
図１４は、図１３のコード埋込み処理７０を実現する図１１の番組放映装置１０における処理動作のフローチャートである。
【００８１】
ステップＳ１で番組表と番組・ＵＲＬ対応表を読み込み、ステップＳ２で放送開始時刻か否かチェックし、最初の番組の放送開始時刻になると、ステップＳ３で番組・ＵＲＬ対応表から番組のＵＲＬを取得する。
【００８２】
続いてステップＳ４でコードテーブル６２から未使用コードを検索し、ステップＳ５で検索した未使用コードの欄に番組のＵＲＬを記述する。続いてステップＳ６で１つ前の番組のコードを放映画像データにステガノグラフィにより埋め込むが、最初の番組にあっては１つ前の番組がないことから、コードの埋め込みは行われない。
【００８３】
ステップＳ７で番組開始から一定時間経過すると、ステップ８に進み、現在放映中の番組のコードを放映画像データにステガノグラフィにより埋め込む。ステップＳ９では番組切替時刻を監視しており、番組切替時刻に達すると、ステップＳ１０で放送終了時刻か否かチェックし、放送終了時刻でなければステップＳ３に戻り、切り替わった現在放映中の番組についてＵＲＬを取得する。
【００８４】
そして、ステップＳ４で未使用コードを検索した後、ステップＳ５で検索した未使用コードの欄に切り替わった現在放映中の番組のＵＲＬを記述する。次にステップＳ６で、現在放映中の番組に１つ前の番組のコードを埋め込む。番組開始から一定時間経過すると、ステップＳ７からテップＳ８に進み、１つ前の番組のコードから現在放映中の番組のコードの埋込みに切り替わる。このようなステップＳ３〜Ｓ１０の処理を放送終了時刻まで繰り返す。
【００８５】
また、このようなコード埋込みの処理ルーチンとは別に、図１１の番組放映装置１０にあっては、図１２のようにコードテーブル６２にＵＲＬを記述した使用中のコードについて、番組終了からの経過時間を監視しており、経過時間が一定時間に達すると、記述したＵＲＬを削除し、未使用コードとして開放して再利用させる。
【００８６】
図１５は、図１１の番組放映装置１０に対し設けているＷＷＷサーバ６６のサーバ処理のフローチャートである。このサーバ処理にあっては、ステップＳ１でユーザからの番組コードを受信すると、ステップＳ２で受信したコードでコードテーブル６２を参照してＵＲＬを取得し、ステップＳ３で、取得したＵＲＬを送信することになる。
【００８７】
このようなＷＷＷサーバ６６によるコードテーブル６２を用いたコードからＵＲＬへの変換は、番組終了から一定時間を経過してコードからＵＲＬが削除されて開放されるまでの間、変換が可能となる。
【００８８】
図１６は、図１１の番組放映装置１０によるコード埋込み処理の他の実施形態のタイムチャートである。
【００８９】
図１６において、動画ストリーム６８として番組１，番組２，番組３，番組４の放映が行われると、これに伴ってコード埋込み処理８０として、番組１について２つのコード１，２が埋め込まれ、番組２についても同じく２つのコード３，４が埋め込まれ、番組３についてはコード５，６が埋め込まれ、番組４についてはコード７，８が埋め込まれる。
【００９０】
番組１〜４における放送開始直後のコード１，コード３，コード５，コード７のそれぞれは、１つ前の番組のＵＲＬと現在放映中の番組のＵＲＬに対応している。放送開始から一定時間Ｔを経過した後のコード２，コード４，コード６及びコード８のそれぞれは、現在放映中の番組のＵＲＬに対応している。
【００９１】
図１７は、図１６のコード埋込み処理８０を実現するコードテーブル６２の説明図である。このコードテーブル６２は、番組コード７２、現在番組ＵＲＬ８２及び先行番組ＵＲＬ８４を設定している。番組コード７２としてはコード１〜コード８の８つを準備しており、１つの番組について２つずつコードが割り当てられる。
【００９２】
例えば現在、ポインタ８５に示すように番組３が放映中であったとすると、番組１にコード１，２が割り当てられ、番組２にコード３，４が割り当てられ、番組３にコード５，６が割り当てられ、まだ放映していない番組４についてのコード７，８は、「＊」に示すように未使用コード８６となっている。
【００９３】
そして番組１に割り当てられたコード１，コード２について、最初のコード１については現在放映中の番組のＵＲＬ１と１つ前の番組のＵＲＬが割り当てられるが、番組１は最初の番組であることから、先行する番組のＵＲＬは未登録となっている。
【００９４】
２番目の番組２に割り当てられるコード３，４については、最初のコード３については現在放映中の番組のＵＲＬ２と１つ前の先行番組のＵＲＬ１が記述される。また次のコード４については、現在放映中の番組２のＵＲＬ２のみが記述される。
【００９５】
このようなコードテーブル６２を使用することで、図１６のコード埋込み処理８０に示すように、例えば番組２の放映中にその開始時刻ｔ２から一定時間Ｔを経過する時刻ｔ１２までの間に画面を撮影すると、埋め込まれているコード３を取得することができる。
【００９６】
このコード３を取得した後は、図１１においてパーソナルコンピュータ２８からＷＷＷサーバ６６にアクセスしてコード変換要求を行うことで、図１７のコードテーブル６２の参照により、コード３から現在番組のＵＲＬ２と先行番組のＵＲＬ１の２つを取得してユーザ側に応答できる。ユーザは取得した２つの番組のＵＲＬから必要な方を選択してホームページのサーバにアクセスすることができる。
【００９７】
更に図１７のコードテーブル６２は、番組終了から一定時間を経過するとＵＲＬの記述を削除して未使用コードとし、限られた数のコードを再使用する。
【００９８】
図１８は、図１６のコード埋込み処理８０を実現する図１１の番組放映装置１０の処理動作のフローチャートである。図１８において、ステップＳ１で番組表と番組・ＵＲＬ対応表を読み込み、ステップＳ２で現在の番組と１つ前の番組のＵＲＬを番組・ＵＲＬ対応表から取得する。しかしながら、最初の番組については１つ前の番組はないことから、現在の番組のＵＲＬのみの取得となる。
【００９９】
続いてステップＳ４でコードテーブル６２から未使用コードを２つ検索し、ステップＳ５で、検索した第１コードの欄に１つ前と現在の番組のＵＲＬを記述し、次の第２コードの欄に現在の番組のＵＲＬを記述する。
【０１００】
続いてステップＳ６で、現在放映中の画像データに第１コード、即ち１つ前と現在の番組のＵＲＬを記述したコードテーブルに対応した第１コードを埋め込む。ステップＳ７で番組開始から一定時間を経過すると、ステップＳ８で放映画像データに第２コード、即ち現在放映中の番組のＵＲＬをコードテーブルに登録している第２コードを埋め込む。
【０１０１】
ステップＳ９で番組切替時刻を判別すると、ステップＳ１１で放送終了時刻でなければ、ステップＳ３に戻り、次の番組２について同様にして、現在と１つ前の番組のＵＲＬを取得し、同様な処理をステップＳ１１で放送終了時刻を判別するまで繰り返す。
【０１０２】
図１９は、図１１と同じ番組放映装置１０を用いた他のシステム環境の説明図であり、図１０のシステム環境と同様に、放送設備ではなく街頭などでのビデオ放映を対象としている。
【０１０３】
図１９において、番組放映装置１０は図１１と同じ構成を持ち、図１３の埋込みコード処理７０または図１６の埋込みコード処理８０を再生用ビデオデッキ５２からの番組放映信号に対し行い、録画用ビデオデッキ５４に録画する。録画用ビデオデッキ５４で録画されたコード埋込みが行われたビデオテープ５６は、別のビデオデッキ５８にセットされて表示装置６０に再生される。
【０１０４】
表示装置６０の番組画面は、ユーザが持っている携帯電話２５のカメラ２６により撮像され、パーソナルコンピュータ２８で画面に埋め込まれたコードが復元され、インターネット３０を介してＷＷＷサーバ６６にアクセスすることで、コードテーブル６２の参照によりＵＲＬが取得され、ＵＲＬに対応するサーバ３２−１〜３２−ｎのいずれかをアクセスしてホームページなどを閲覧できる。
【０１０５】
なお、上記の実施形態はテレビ放送設備及びビデオテープ編集設備における本発明の番組放映装置の適用を例に取るものであったが、これ以外の適宜の番組放映設備やシステム、更には装置につき、そのまま適用することができる。
【０１０６】
また上記の実施形態にあっては、本発明の番組放映装置によりビデオデッキでＵＲＬまたはコードを埋め込んだビデオテープを編集してこれを再生利用する場合を例に取っているが、ビデオテープ以外にＤＶＤなどの適宜の記録媒体を用いることができる。
【０１０７】
更に、インターネットなどを利用した動画ストリームの提供についても、番組画面にＵＲＬまたはコードを埋め込むことができ、この場合にはパーソナルコンピュータ２８側で直接、番組の放映画面を受信できることから、カメラ２６付きの携帯電話２５などによる画面の撮影は必要なく、パーソナルコンピュータ２８で受信した番組画面を取り込むことで直接的に番組のＵＲＬを取得するかまたはＷＷＷサーバ６６のアクセスで取得して、番組に対応したホームページなどを利用できる。
【０１０８】
また上記の実施形態は、ＵＲＬまたはコードを埋め込んだ番組画面の撮影にカメラ２６の付いた携帯電話２５を例にとっているが、これ以外のカメラ付きの携帯機器や電子スチールカメラそのものであってもよい。
【０１０９】
また本発明は上記の実施形態に限定されず、その目的と利点を損なうことのない適宜の変形を含み、更に上記の実施形態に示した数値による限定は受けない。
【０１１０】
（付記）
（付記１）
番組表のタイムスケジュールに従って複数の番組を順次放映する番組放映装置に於いて、
放映される前記複数の番組に固有な利用情報の対応表を格納した対応表格納部と、
現在放映中の番組の利用情報を前記対応表を参照して取得し、現在の放映番組の時間帯に、過去に放映した番組の利用情報を含めて現在放映中の番組の利用情報を不可視の形で埋め込む利用情報埋込部と、
を備えたことを特徴とする番組放映装置（１）
【０１１１】
（付記２）
付記１の番組放映装置に於いて、前記利用情報埋込部は、前記利用情報をステガノグラフィによって放映画像データに埋め込むことを特徴とする番組放映装置。（２）
【０１１２】
（付記３）
付記１の番組放映装置に於いて、前記利用情報埋込部は、現在の放映番組の始めの時間帯に、前回に放映した番組の利用情報を不可視の形で埋め込み、残りの時間帯に現在放映中の番組の利用情報を不可視の形で埋め込むことを特徴とする番組放映装置。（３）
【０１１３】
（付記４）
付記１の番組放映装置に於いて、前記利用情報埋込部は、現在の放映番組の始めの時間帯に、前回に放映した番組の利用情報と現在放映中の番組の利用情報を不可視の形で埋め込み、残りの時間帯に現在放映中の番組の利用情報のみを不可視の形で埋め込むことを特徴とする番組放映装置。
【０１１４】
（付記５）
付記１の番組放映装置に於いて、
前記利用情報格納部は、番組に固有なＵＲＬのＵＲＬ対応表を格納し、
前記利用情報埋込部は、現在放映中の番組のＵＲＬを前記対応表を参照して取得し、現在の放映番組の時間帯に、過去に放映した番組のＵＲＬを含めて現在放映中の番組のＵＲＬを不可視の形で埋め込むことを特徴とする番組放映装置。
【０１１５】
（付記６）
付記１の番組放映装置に於いて、
前記利用情報格納部は、番組に固有なＵＲＬのＵＲＬ対応表に加え、前記ＵＲＬに固有なコードのコード対応表を格納し、
前記利用情報埋込部は、現在放映中の番組のＵＲＬに対応するコードを前記ＵＲＬ対応表及びコード対応表を参照して取得し、現在の放映番組の時間帯に、過去に放映した番組のコードを含めて現在放映中の番組のコードを不可視の形で埋め込むことを特徴とする番組放映装置。
【０１１６】
（付記７）
付記６記載の番組放映装置に於いて、前記コード対応表は番組数に対し少ない数のコードを準備しており、前記利用情報埋込部は、未使用コードを検索して番組に対応したＵＲＬを設定し、番組が終了すると一定時間経過後に未使用コードに戻して再使用させることを特徴とする番組放映装置。
【０１１７】
（付記８）
付記６の番組放映装置に於いて、更に、外部から前記コードの変換要求を受けた際に、前記コード対応表の参照によりＵＲＬを取得して外部に応答するサーバを備えたことを特徴とする番組放映装置。
【０１１８】
（付記９）
付記１の番組放映装置に於いて、前記利用情報埋込部から出力された放映番組の信号をテレビ放送信号として外部に送信して受信表示させ、受信表示された番組画面の撮像により埋込利用情報を復元して利用させることを特徴とする番組放映装置。
【０１１９】
（付記１０）
付記１の番組放映装置に於いて、前記利用情報埋込部から出力された放映番組の信号を記録媒体に録画して他の装置で再生表示させ、受信表示された番組画面の撮像により埋込利用情報を復元して利用させることを特徴とする番組放映装置。
【０１２０】
（付記１１）
番組放映装置から番組表のタイムスケジュールに従って複数の番組を順次放映する番組放映ステップと、
利用情報埋込部により、前記複数の番組に固有な利用情報を格納した対応表を参照して現在放映中の番組の利用情報を取得し、現在の放映番組の時間帯に、過去に放映した番組の利用情報を含めて現在放映中の番組の利用情報を不可視の形で埋め込む利用情報埋込ステップと、
を備えたことを特徴とする番組放映方法。（４）
【０１２１】
（付記１２）
付記１１の番組放映方法に於いて、前記利用情報埋込ステップは、前記利用情報をステガノグラフィによって放映画像データに埋め込むことを特徴とする番組放映方法。
【０１２２】
（付記１３）
付記１１の番組放映方法に於いて、前記利用情報埋込ステップは、現在の放映番組の始めの時間帯に、前回に放映した番組の利用情報を不可視の形で埋め込み、残りの時間帯に現在放映中の番組の利用情報を不可視の形で埋め込むことを特徴とする番組放映方法。
【０１２３】
（付記１４）
付記１１の番組放映方法に於いて、前記利用情報埋込ステップは、現在の放映番組の始めの時間帯に、前回に放映した番組の利用情報と現在放映中の番組の利用情報を不可視の形で埋め込み、残りの時間帯に現在放映中の番組の利用情報のみを不可視の形で埋め込むことを特徴とする番組放映方法。
【０１２４】
（付記１５）
付記１１の番組放映方法に於いて、
前記対応表は番組に固有なＵＲＬを格納したＵＲＬ対応表であり、
前記利用情報埋込ステップは、現在放映中の番組のＵＲＬを前記対応表を参照して取得し、現在の放映番組の時間帯に、過去に放映した番組のＵＲＬを含めて現在放映中の番組のＵＲＬを不可視の形で埋め込むことを特徴とする番組放映方法。
【０１２５】
（付記１６）
付記１１の番組放映方法に於いて、
前記対応表は、番組に固有なＵＲＬのＵＲＬ対応表と、前記ＵＲＬに固有なコードのコード対応表であり、
前記利用情報埋込ステップは、現在放映中の番組のＵＲＬに対応するコードを前記ＵＲＬ対応表及びコード対応表を参照して取得し、現在の放映番組の時間帯に、過去に放映した番組のコードを含めて現在放映中の番組のコードを不可視の形で埋め込むことを特徴とする番組放映方法。
【０１２６】
（付記１７）
付記１６の番組放映方法に於いて、前記コード対応表は番組数に対し少ない数のコードを準備しており、前記利用情報埋込ステップは、未使用コードを検索して番組に対応したＵＲＬを設定し、番組が終了すると一定時間経過後に未使用コードに戻して再使用させることを特徴とする番組放映方法。
【０１２７】
（付記１８）
付記１６の番組放映方法に於いて、更に、外部から前記コードの変換要求を受けた際に、前記コード対応表の参照によりＵＲＬを取得して外部に応答するステップを備えたことを特徴とする番組放映方法。
【０１２８】
（付記１９）
付記１の番組放映方法に於いて、前記利用情報埋込ステップで出力された放映番組の信号をテレビ放送信号として外部に送信して受信表示させ、受信表示された番組画面の撮像により埋込利用情報を復元して利用させることを特徴とする番組放映方法。
【０１２９】
（付記２０）
付記１の番組放映方法に於いて、前記利用情報埋込ステップで出力された放映番組の信号を記録媒体に録画して他の装置で再生表示させ、受信表示された番組画面の撮像により埋込利用情報を復元して利用させることを特徴とする番組放映方法。
【０１３０】
（付記２１）
コンピュータに、
番組表のタイムスケジュールに従って番組放映装置から複数の番組を順次放映させる番組放映ステップと、
前記複数の番組に固有な利用情報を格納した対応表を参照して現在放映中の番組の利用情報を取得し、現在の放映番組の時間帯に、過去に放映した番組の利用情報を含めて現在放映中の番組の利用情報を不可視の形で埋め込む利用情報埋込ステップと、
を実行させることを特徴とするプログラム。（５）
【０１３１】
（付記２２）
付記２１のプログラムに於いて、前記利用情報埋込ステップは、前記利用情報をステガノグラフィによって放映画像データに埋め込むことを特徴とするプログラム。
【０１３２】
（付記２３）
付記２１のプログラムに於いて、前記利用情報埋込ステップは、現在の放映番組の始めの時間帯に、前回に放映した番組の利用情報を不可視の形で埋め込み、残りの時間帯に現在放映中の番組の利用情報を不可視の形で埋め込むことを特徴とするプログラム。
【０１３３】
（付記２４）
付記２１のプログラムに於いて、前記利用情報埋込ステップは、現在の放映番組の始めの時間帯に、前回に放映した番組の利用情報と現在放映中の番組の利用情報を不可視の形で埋め込み、残りの時間帯に現在放映中の番組の利用情報のみを不可視の形で埋め込むことを特徴とするプログラム。
【０１３４】
（付記２５）
付記２１のプログラムに於いて、
前記対応表は番組に固有なＵＲＬを格納したＵＲＬ対応表であり、
前記利用情報埋込ステップは、現在放映中の番組のＵＲＬを前記対応表を参照して取得し、現在の放映番組の時間帯に、過去に放映した番組のＵＲＬを含めて現在放映中の番組のＵＲＬを不可視の形で埋め込むことを特徴とするプログラム。
【０１３５】
（付記２６）
付記２１のプログラムに於いて、
前記対応表は、番組に固有なＵＲＬのＵＲＬ対応表と、前記ＵＲＬに固有なコードのコード対応表であり、
前記利用情報埋込ステップは、現在放映中の番組のＵＲＬに対応するコードを前記ＵＲＬ対応表及びコード対応表を参照して取得し、現在の放映番組の時間帯に、過去に放映した番組のコードを含めて現在放映中の番組のコードを不可視の形で埋め込むことを特徴とするプログラム。
【０１３６】
（付記２７）
付記２６のプログラムに於いて、前記コード対応表は番組数に対し少ない数のコードを準備しており、前記利用情報埋込ステップは、未使用コードを検索して番組に対応したＵＲＬを設定し、番組が終了すると一定時間経過後に未使用コードに戻して再使用させることを特徴とするプログラム。
【０１３７】
（付記２８）
付記２６のプログラムに於いて、更に、外部から前記コードの変換要求を受けた際に、前記コード対応表の参照によりＵＲＬを取得して外部に応答するステップを備えたことを特徴とするプログラム。
【０１３８】
（付記２９）
付記２１のプログラムに於いて、前記利用情報埋込ステップで出力された放映番組の信号をテレビ放送信号として外部に送信して受信表示させ、受信表示された番組画面の撮像により埋込利用情報を復元して利用させることを特徴とするプログラム。
【０１３９】
（付記３０）
付記２１のプログラムに於いて、前記利用情報埋込ステップで出力された放映番組の信号を記録媒体に録画して他の装置で再生表示させ、受信表示された番組画面の撮像により埋込利用情報を復元して利用させることを特徴とするプログラム。
【０１４０】
【発明の効果】
以上説明してきたように本発明によれば、番組の放映画面に不可視の形でＵＲＬやＵＲＬに変換可能なコードを埋め込み、この番組画面を撮像して、埋め込まれているＵＲＬやコードを復元し、番組利用情報としてそのホームページなどにアクセスできることで、現在番組画面に直接表示している読取りが困難なＵＲＬによるアクセスの不具合を解消し、番組画面を撮影するだけでＵＲＬを取得して、ホームページなどの利用ができる。
【０１４１】
またＵＲＬ及び変換のためのコードはステガノグラフィによる不可視の形で画面に埋め込まれているため、番組画面がＵＲＬなどにより妨げられることがなく、特にコマーシャル番組の間のみならず、コマーシャル以外の番組本来の放映中の画面についても、継続的にＵＲＬやＵＲＬに変換可能なコードを画面内容を損なうことなく埋め込むことができる。
【図面の簡単な説明】
【図１】本発明の原理説明図
【図２】番組放送にＵＲＬを埋め込む本発明による番組放映装置の実施形態とシステム環境の説明図
【図３】本発明による番組撮像装置を実現するハードウェア資源の説明図
【図４】図２で使用する番組表の説明図
【図５】図２で使用する番組・ＵＲＬ対応表の説明図
【図６】図２の実施形態によるＵＲＬ埋込み処理の実施形態のタイムチャート
【図７】図２の番組放映装置による図６のＵＲＬ埋込み処理を実現するフローチャート
【図８】図２の実施形態によるＵＲＬ埋込み処理の他の実施形態のタイムチャート
【図９】図２の番組放映装置による図８のＵＲＬ埋込み処理を実現するフローチャート
【図１０】ビデオ編集でＵＲＬを埋め込む本発明による番組放映装置の実施形態とシステム環境の説明図
【図１１】番組放送にＵＲＬに対応したコードを埋め込む本発明による番組放映装置の実施形態とシステム環境の説明図
【図１２】図１１で使用するコードテーブルの実施形態の説明図
【図１３】図１１の実施形態によるコード埋込み処理の実施形態のタイムチャート
【図１４】図１１の番組放映装置による図１３のコード埋込み処理を実現するフローチャート
【図１５】図１１のＷＷＷサーバによるコード・ＵＲＬ変換処理のフローチャート
【図１６】図１１の実施形態によるコード埋込み処理の他の実施形態のタイムチャート
【図１７】図１６のコード埋込みに使用する図１１のコードテーブルの実施形態の説明図
【図１８】図１１の番組放映装置による図１６のコード埋込み処理を実現するフローチャート
【図１９】ビデオ編集でコードを埋め込む本発明による番組放映装置の実施形態とシステム環境の説明図
【符号の説明】
１０：番組放映装置
１２：時計部
１４：番組表格納部
１４−１：番組表
１６：番組・ＵＲＬ対応表格納部
１６−１：番組・ＵＲＬ対応表格納部
１８：ＵＲＬ生成部
２０：ステガノグラフィエンコーダ
２２：テレビ送信設備
２４：受信表示装置
２５：携帯電話
２６：カメラ
２８：パーソナルコンピュータ
３０：インターネット
３２−１〜３２−ｎ：サーバ
５２：再生用ビデオデッキ
５４：録画用ビデオデッキ
５６：ビデオテープ
５８：ビデオデッキ
６０：表示装置
６２：コードテーブル
６４：コード生成部
６６：ＷＷＷサーバ
７２：番組コード
７４：番組ＵＲＬ
７６：未使用コード
【図１】
2004096310.tif 000003
【図２】
2004096310.tif 000004
【図３】
2004096310.tif 000005
【図４】
2004096310.tif 000006
【図５】
2004096310.tif 000007
【図６】
2004096310.tif 000008
【図７】
2004096310.tif 000009
【図８】
2004096310.tif 000010
【図９】
2004096310.tif 000011
【図１０】
2004096310.tif 000012
【図１１】
2004096310.tif 000013
【図１２】
2004096310.tif 000014
【図１３】
2004096310.tif 000015
【図１４】
2004096310.tif 000016
【図１５】
2004096310.tif 000017
【図１６】
2004096310.tif 000018
【図１７】
2004096310.tif 000019
【図１８】
2004096310.tif 000020
【図１９】
2004096310.tif 000021